(57)【要約】【課題】電位治療器等生命体の治癒力向上装置におけるペーハ改善効果を向上させる。【解決手段】高圧の負電位を発生する高圧電源回路と、該高圧電源回路からの負電位を生命体の所定部位に印加する負電位印加電極と、該負電位印加電極との間に生命体の所定の部位を挟んで対向し、負電位印加電極からの電荷を生命体の生体組織を介して上記高圧電源回路のアース側に誘引する対向電極とからなる電位治療ユニットを複数組備え、これら複数組の電位治療ユニットを１つのＡＣ電源、１つのマイコン制御ユニットで駆動制御するようにしてなる生命体の治癒力向上装置において、上記複数組の電位治療ユニットの各々の上記アースラインを相互にアイソレーションした独立のものとして構成し、各組の電位治療ユニットの電極部の電流が別の電位治療ユニットの電極部の対向電極部側に流れて、同部分の治療効果を阻害する問題が確実に改善されるようにした。【選択図】        図３
2008183070.tif 000002
【特許請求の範囲】
【請求項１】
高圧の負電位を発生する高圧電源回路と、該高圧電源回路からの負電位を生命体の所定部位に印加する負電位印加電極と、該負電位印加電極との間に生命体の所定の部位を挟んで対向し、負電位印加電極からの電荷を生命体の生体組織を介して上記高圧電源回路のアース側に誘引する対向電極とからなる電位治療ユニットを複数組備え、これら複数組の電位治療ユニットを１つのＡＣ電源、１つのマイコン制御ユニットで駆動制御するようにしてなる生命体の治癒力向上装置において、上記複数組の電位治療ユニットの各々の上記アースラインを相互にアイソレーションした独立のものとして構成したことを特徴とする生命体の治癒力向上装置。
【請求項２】
上記複数組の電位治療ユニットには、それぞれ静電抹消器が設けられていることを特徴とする請求項１記載の生命体の治癒力向上装置。
【請求項３】
上記複数組の電位治療ユニットは、少なくとも３組であることを特徴とする請求項１又は２記載の生命体の治癒力向上装置。
【請求項４】
上記複数組の電位治療ユニットの何れか所望の組の負電位印加電極および対向電極の内の対向電極は２つの対向電極により構成されていることを特徴とする請求項１，２又は３記載の生命体の治癒力向上装置。
【請求項５】
上記複数組の電位治療ユニット各々の負電位印加電極および対向電極部分を流れる電流値を検出し、同電流値を所定の設定電流値に制御する電流制御手段を設けたことを特徴とする請求項１，２，３又は４記載の生命体の治癒力向上装置。
【発明の詳細な説明】
【技術分野】
【０００１】
本願発明は、電位治療器等の血液中のペーハ値（ｐＨ値）を改善することにより生命体の治癒力を向上させる生命体の治癒力向上装置に関するものである。
【背景技術】
【０００２】
理学療法器具である電位治療器等の生命体の治癒力向上装置は、酸性化した人体等生命体の血液のペーハ値（ｐＨ値）をアルカリ性に傾ける作用があることは、すでに本願発明者の長年に亘る研究の結果から明らかになっている（例えば特許文献１、特許文献２等参照）。
【０００３】
さらに、その後の研究の結果、同血液のペーハ値を改善すると、血液中の活性酸素を消去し、酸化還元電位（ＯＲＰ）を低下させることが確認されており、これは血液中の酸化型の抗酸化物質の還元により、抗酸化作用を得ることができるためであると考えられる。つまり、電位治療器等の生命体の治癒力向上装置は、生体をアルカリ性に傾けるとともに、生体の酸化ストレスを抑制する機能があり、直接免疫細胞に働いて免疫機能を向上させることにも有意性があることが見出されている。
【０００４】
このような生命体の治癒力向上装置として、例えば図１２〜図１５に示すような、本願発明者が先に開発した電位治療器がある。
【０００５】
この電位治療器１は、先ず図１２に示すように、マイコン制御ユニットおよび負電位発生回路等を備えて構成された制御回路部２と、この制御回路部２のマイコン制御ユニットにより画面上に各種の操作ガイダンスを表示するとともに上記マイコン制御ユニットに対して同表示された操作ガイダンスに対応した操作指令を入力するタッチパネル３とから構成され、その本体部正面の下部には、負電位印加電極５ａ，５ａ接続用のコネクタ部４ａ，４ａと負電位印加電極５ａ，５ａに対向して設置され、負電位印加電極５ａ，５ａからの負電位を被治療者の手又は足の指部ＭＦ等を介して誘引する対向電極５ｂ，５ｂ接続用のコネクタ部４ｂ，４ｂが設けられている。
【０００６】
そして、これら各コネクタ部４ａ，４ａ、４ｂ，４ｂに対して、例えば所望の長さのケーブル５０ａ，５０ａおよび５０ｂ，５ｂを介して対応する負電位印加電極５ａ，５ａおよび対向電極５ｂ，５ｂが着脱可能に接続されるようになっている。
【０００７】
そして、上記制御回路部２は、例えば図１４に示すように、上述の第１，第２の２組の電極部５ａ・５ｂ，５ａ・５ｂに対応した第１，第２の２組の電位治療ユニット６ａ，６ｂを備えて構成されている。
【０００８】
図１４中、符号２３，２３は、図示しないＡＣ商用電源の電源電圧ＡＣ１００（Ｖ）をＤＣ電圧＋２４（Ｖ）に変換する整流器およびトランスを組み合わせた交直変換手段である図示しないＡＣアダプター（ＡＣ／ＤＣ変換器）からのＤＣ電圧＋２４（Ｖ）を、−１２（Ｖ）に変換した後に例えば−６（ＫＶ）の高負電圧に昇圧する昇圧手段よりなる高電圧電源回路（直流高圧電源）、２２，２２は、同高圧電源回路２３，２３からの直流電源電圧−６（ＫＶ）を所定の脈動成分を含む直流高圧電源電圧に変換した上で、負電位供給ライン２１を介して当該各組の電位治療ユニット６ａ，６ｂにおける負電位印加電極（導子極板）５ａ，５ａに供給するイオン変換器（脈動電圧発生器）、５ｂ，５ｂは上記負電位印加電極５ａ，５ａとの間に被治療者の手又は足の指部等を挟んで対向し、例えば図１５のようにして高圧電源回路２３，２３のアースライン２５側に効率良く負電荷を誘引する対向電極である。
【０００９】
このような構成の電位治療器１では、例えば図１３に示すように、被治療者Ｍが右手と左手の指部ＭＦ，ＭＦ全体をそれぞれ締結バンドＢ，Ｂを介して上記負電位印加電極５ａ，５ａと対向電極５ｂ，５ｂとの間に挟んだ状態で、上記図１４の高圧電源２３，２３を作動させると、同高圧電源２３からの高圧の負電位−６ＫＶがイオン変換器２２，２２を通して電位が細かく上下する脈動電圧（リップル電圧）に変換された後に、上記負電位印加電極５ａ，５ａを介して被治療者の左右の手の指部ＭＦ，ＭＦに印加される。
【００１０】
一方、この時上記対向電極５ｂ，５ｂ側はケーブル５０ｂ，５０ｂを含むアースライン２５，２５を介して大地に接続された高圧電源回路２３，２３のアースライン（０Ｖ）に接続されており、電位ゼロとなっている。
【００１１】
その結果、上記被治療者の手の指部ＭＦ，ＭＦの表面には、図示のごとく静電誘導により多数のマイナスの電荷ｅ-，ｅ-・・・が帯電し、同負電荷ｅ-，ｅ-・・・が同手の指部ＭＦ，ＭＦの生体組織を介して相対的にプラス電位である対向電極５ｂ，５ｂ側に効率良く誘引されて通過する。
【００１２】
この通過時に、同多数の負電荷ｅ-，ｅ-・・・が手の指部ＭＦ，ＭＦ内の多数本の血管中を流れる血液の血液細胞（特に赤血球細胞）に作用して、同血液細胞中の水素イオン（Ｈ+）を還元してアルカリ性の水素原子Ｈに変える。
【００１３】
これにより、血液中のｐＨが上昇し、酸性度が低下し、免疫機能が向上する。
【００１４】
なお、図１５中、符号５１は負電位が供給される銅製の電極板を包む導電性の不織布、５２は不織布５１外周囲の隙間、５３，５４は絶縁性のゴム薄板、５５は導電性の繊維材（充填材）、５６は塩ビシート、５７はレザーカバー、５８は銅板、５９は導電性の不織布である。
【００１５】
【特許文献１】特開平０９−２８８１６号公報
【特許文献２】特開２００５−２９６４４１号公報
【発明の開示】
【発明が解決しようとする課題】
【００１６】
ところで、上述のように、図１２〜図１５の電位治療器の構成では、負電位印加電極５ａと対向電極５ｂのセットよりなる電極部および同電極部を備えた電位治療ユニットが左右に一対設けられた２組のものとなっており、それらは１つのＡＣ電源、１つのマイコン制御ユニットによって駆動制御され、しかも上記電極部の対向電極５ｂ，５ｂは各高圧電源回路２３，２３のアース端子を介して共通にアースされている。
【００１７】
したがって例えば図１４中に矢印（鎖線）で示したように、一方側（６ａ側）の負電位印加電極５ａから手の指部ＭＦに印加された負電位による負電荷ｅ-，ｅ-・・・によって生じた治療電流ｉが、被治療者Ｍの人体ＭＢおよび手の指部ＭＦを通して他方側（６ｂ側）の対向電極５ｂに流れ、同他方側の手の指部ＭＦ部および対向電極５ｂ部分で本来の負電位印加電極５ａを介して印加される治療電流（電荷電流）ｉとの干渉を生じ、同他方側電極部でのｐＨ改善効果が阻害される問題が見出された。
【００１８】
本願発明は、このような問題を解し、より有効に血液中のｐＨ改善効果を向上させることを目的としてなされたものである。
【課題を解決するための手段】
【００１９】
本願発明は、上記の目的を達成するために、次のような課題解決手段を備えて構成されている。
【００２０】
（１）  請求項１の発明
この発明の課題解決手段は、高圧の負電位を発生する高圧電源回路と、該高圧電源回路からの負電位を生命体の所定部位に印加する負電位印加電極と、該負電位印加電極との間に生命体の所定の部位を挟んで対向し、負電位印加電極からの電荷を生命体の生体組織を介して上記高圧電源回路のアース側に誘引する対向電極とからなる電位治療ユニットを複数組備え、これら複数組の電位治療ユニットを１つのＡＣ電源、１つのマイコン制御ユニットで駆動制御するようにしてなる生命体の治癒力向上装置において、上記複数組の電位治療ユニットの各々の上記アースラインを相互にアイソレーションした独立のものとして構成したことを特徴としている。
【００２１】
このように、治療対象部位を異にする複数組の電位治療ユニットの負電位印加電極および対向電極の各々のアースラインを相互に絶縁し、それぞれ独立させた状態で個別に電流を流すようにすると、前述のように一方の治療対象側の電極の電流が他方側別の治療対象側の被治療部および対向電極部に流れて、同部分の治療効果を阻害する問題が確実に改善される。
【００２２】
（２）  請求項２の発明
この発明は、上記請求項１の発明の構成において、上記複数組の電位治療ユニットには、それぞれ静電抹消器が設けられていることを特徴としている。
【００２３】
上述のように複数組の電位治療ユニットの各負電位印加電極および対向電極を相互に絶縁して独立したものとすると、負電位発生回路を含む制御回路部に浮遊容量が増え、治療電流値の変動や雑音の発生、また回路機能上各種の阻害を起こしやすくなる。
【００２４】
そこで、これを吸収抹消することにより、それら障害の発生を防止するとともに対向電極側の電位をより確実にゼロ（Ｖ）に維持するようにする。
【００２５】
（３）  請求項３の発明
この発明は、上記請求項１又は２の発明の構成において、上記複数組の電位治療ユニットは、少なくとも３組であることを特徴としている。
【００２６】
このように、上記複数組の電位治療ユニットを少なくとも３組にすると、負電位印加電極および対向電極を、例えば右手甲部および手掌、左手甲部および手掌に加えて左こめかみ及び右こめかみ、又は右足甲部および足裏、左足甲部および足裏に加えて左こめかみ及び右こめかみ等の各々を治療部として、体全体から見た効果的な位置で効率良く血液のｐＨ改善効果をあげることができる。
【００２７】
（４）  請求項４の発明
この発明は、上記請求項１，２又は３の発明の構成において、上記複数組の電位治療ユニットの何れか所望の組の負電位印加電極および対向電極の内の対向電極は２つの対向電極により構成されていることを特徴としている。
【００２８】
このような構成によると、対向電極が２つある組の電位治療ユニットの電極部分では、例えば負電位印加電極と１つの対向電極とで被治療者の手指部を挟む一方、もう１つの対向電極を足の甲部又は足の裏部分に当接させて人体を流れる電流を拾うことができ、人体に流出する電流を有効に活用して１組の電極で２点治療を行うことが可能となる。
【００２９】
（５）  請求項５の発明
この発明は、上記請求項１，２，３又は４の発明の構成において、上記複数組の電位治療ユニット各々の負電位印加電極および対向電極部分を流れる電流値を検出し、同対向電極部分を流れる電流値を所定の設定電流値に制御する電流制御手段を設けたことを特徴としている。
【００３０】
このような構成によると、被治療者の血液のｐＨ値に応じたｐＨ改善治療や治療部位、治療目的に応じた印加電圧、電流値、印加時間、印加タイミングの調節が可能となり、臨床的に最も効果的な治療電流、治療時間、治療タイミング、治療スパンの設定探求が可能となる。
【発明の効果】
【００３１】
以上の結果、本願発明によれば、電位治療器等生命体の治癒力向上装置の治癒力向上効果を有効に改善することができる。
【発明を実施するための最良の形態】
【００３２】
図１〜図１１は、例えば電位治療器として構成した本願発明の最良の実施の形態に係る生命体の治癒力向上装置の構成および作用を示している。
【００３３】
先ず図１は、同電位治療器本体部分の全体的な構成を示すもので、符号１は、電位治療器である。
【００３４】
上記電位治療器１は、例えば図１に示すように、マイコン制御ユニットおよび負電位発生回路等を備えて構成された制御回路部２と、この制御回路部２のマイコン制御ユニットにより画面上に各種の操作ガイダンスを表示するとともに上記マイコン制御ユニットに対して同表示された操作ガイダンスに対応した操作指令を入力するタッチパネル３とから構成され、その本体部正面の下部には、３つの負電位印加電極５ａ，５ａ，５ａ接続用の３つのコネクタ部４ａ，４ａ．４ａとこれらの３つの負電位印加電極５ａ，５ａ，５ａに対向して設置され、同負電位印加電極５ａ，５ａ，５ａからの負電位を被治療者の手又は足の指部ＭＦ、さらには頭部ＭＨ等を介して誘引する対向電極５ｂ，５ｂ，５ｂ接続用の３つのコネクタ部４ｂ，４ｂ，４ｂが設けられている。
【００３５】
そして、これら各コネクタ部４ａ，４ａ，４ａ、４ｂ，４ｂ，４ｂに対して、例えば所望の長さのケーブル５０ａ，５０ａ，５０ａおよび５０ｂ，５０ｂ，５０ｂを介して対応する負電位印加電極５ａ，５ａ，５ａおよび対向電極５ｂ，５ｂ，５ｂが着脱可能に接続されるようになっている（プラグイン構造）。
【００３６】
これら相互に対向する第１〜第３の３組の電極部５ａ，５ｂ、５ａ，５ｂ、５ａ，５ｂは、例えば後述する制御回路部２の第１〜第３の電位治療ユニット６ａ〜６ｃの各々に対応して１ユニットとして構成されており、特に第１，第２の電位治療ユニット６ａ，６ｂに対応する第１，第２の電極部５ａ，５ｂ、５ａ，５ｂの各対向電極５ａ，５ｂには、それぞれもう１つの対向電極５ｂが付加され、同一ケーブル５０ｂの分岐された先端に２つの対向電極５ｂ，５ｂが設けられた構成となっている。
【００３７】
そして、上記制御回路部２には、例えば図２に示されるように、上述の第１，第２，第３の３組の電極部５ａ・５ｂ，５ａ・５ｂ，５ａ・５ｂに対応した第１，第２，第３の３組の電位治療ユニット６ａ，６ｂ，６ｃが設けられている。
【００３８】
そして、これら第１〜第３の電位治療ユニット６ａ〜６ｃには動作電源供給手段として、ＡＣ商用電源の電源電圧ＡＣ１００（Ｖ）を例えばＡＣインレット回路１１および治療スイッチＳＷを介して入力し、ＤＣ電圧＋２４（Ｖ）に変換する例えば整流器およびトランスを組み合わせた電源回路（ＡＣ／ＤＣ変換トランス）１２と、同＋２４（Ｖ）の直流電圧を２４（Ｖ）のＤＣ電圧にＤＣ−ＤＣ変換する第１のＤＣ−ＤＣ回路２９ｂと、該第１のＤＣ−ＤＣ回路２９ｂを介して入力されるＤＣ電圧２４（Ｖ）を＋１５（Ｖ）と−１５（Ｖ）の２つの電圧に変換する第２のＤＣ−ＤＣ回路２９ａとが設けられている。
【００３９】
そして、上記第１のＤＣ−ＤＣ回路２９ｂのＤＣ電圧＋２４（Ｖ）を、Ｄ／Ａ出力アンプ２４を介して−１２（Ｖ）に変換した後、リレースイッチＲＬ1〜ＲＬ3が閉じていることを条件として同第１〜第３の電位治療ユニット６ａ〜６ｃの例えば−６（ＫＶ）の高負電圧に昇圧する昇圧手段よりなる高電圧電源回路２３に供給するようになっている。
【００４０】
そして、同高圧電源回路２３からの負の電源電圧を図６のような所定の脈動成分を含む電源電圧に変換するイオン変換器２２を介して上記電極部の負電位印加電極５ａに供給する。
【００４１】
このイオン変換器２２は、例えば図５に詳細に示されるように、有底箱型のケース本体４１、同ケース本体４１上端側の開口部に嵌合されるキャップよりなるＡＢＳ等合成樹脂製の方形箱形の非導電性ケースを有し、該非導電性ケース内の方形空間部の相互に対向する端部面側に導電性金属板（例えばステンレス板、銅板など）よりなる第１，第２の平板状電極４１ａ，４１ｂと該第１，第２の平板状電極板４１ａ，４１ｂに電気的に接続された第１，第２のＵ状の補助電極４１ｃ，４１ｄを設ける一方、さらにそれらの間の方形空間部内に、予じめ所定の設定湿度（好ましくは常温下で６２％前後）に厳格に湿度管理された天然軽石等の多孔質の石材を外径１μｍ〜２００μｍの粉体状に形成した含水率２．５％〜４．０％程度の多孔質の無機材４２を均一に充填し、同所定の設定湿度レベル（６２％）に維持されるように正確に湿度設定した上で、キャップで確実に密閉状態にシールして構成されている。
【００４２】
なお、このイオン変換器２２を介した図６に示す電圧波形は交番波形となっているが、これは実験上簡易にＡＣ電圧を用いて脈動成分の大きさＬＶを確認したものであって、直流電圧の場合にも全く同様の脈動成分ＬＶが生じることは実験により確認されている。
【００４３】
なお、図３中符号２１は上記高圧電源回路２３からイオン変換器２２、コネクタ４ａ、ケーブル５０ａを介して負電位印加電極５ａにいたる負電位印加ラインを、また２５は上記対向電極５ｂ，５ｂから逆流防止ダイオードＤ、電流検出抵抗Ｒを介して上記高圧電源回路２３のアース側端子にいたるアースラインを示している。
【００４４】
このような構成の電位治療器１では、例えば前述の図１３に示すように、被治療者Ｍが右手と左手の指部ＭＦ，ＭＦ全体をそれぞれ締結バンドＢ，Ｂを介して上記負電位印加電極５ａと対向電極５ｂとの間に挟んだ状態で、高圧電源２３を作動させると、同高圧電源２３からの高圧の負電位−６ＫＶがイオン変換器２２を通して図６のように電位が高周期で細かく上下するｐＨ値改善に効果的な脈動電圧（リップル電圧）に変換された後に、上記負電位印加電極５ａを介して被治療者の左右の手の指部ＭＦに印加されることになる。
【００４５】
一方、この時上記対向電極５ｂ側は、例えば図７に示すようにケーブル５０ｂを含むアースライン２５を介して第１〜第３の電位治療ユニット６ａ〜６ｃ各組のものが相互に絶縁された状態で個別に大地に接続された高圧電源回路２３のアースライン（０Ｖ）に接続されており、確実に電位ゼロとなっている。
【００４６】
その結果、上記被治療者の手の指部ＭＦの表面には、図１５のように、特に有効な静電誘導により多数のマイナスの電荷ｅ-，ｅ-・・・が効果的に帯電し、同多数の負電荷ｅ-，ｅ-・・・が同手の指部ＭＦ，ＭＦの生体組織を介して相対的にプラス電位である対向電極５ｂ側に効率良く誘引されて通過する。
【００４７】
この通過時に、同多数の負電荷ｅ-，ｅ-・・・が手の指部ＭＦ，ＭＦ内の多数本の血管中を流れる血液の血液細胞（特に赤血球細胞）に作用して、同血液細胞中の水素イオン（Ｈ+）を還元してアルカリ性の水素原子Ｈに変える。
【００４８】
これにより、血液中のｐＨが上昇し、酸性度が低下し、免疫機能が向上する。
【００４９】
ところで、この場合、上記第１〜第３の電位治療ユニット６ａ〜６ｃ各組の制御回路基板の第１のＤＣ−ＤＣ回路２９ｂのＧＮＤ（１極ＧＮＤ）部分には、図３のように、それぞれ静電抹消器８が接続されている。
【００５０】
上述のように複数組の電位治療ユニット６ａ〜６ｃの各負電位印加電極５ａおよび対向電極５ｂを相互に絶縁して独立したものとすると、負電位発生回路を含む制御回路部に浮遊容量が増え、治療電流値ｉの変動や雑音の発生、また回路機能上各種の阻害を起こしやすくなる。
【００５１】
そこで、これを確実に吸収抹消することにより、それら障害の発生を防止するとともに対向電極側の電位をより確実にゼロ（Ｖ）に維持するようにしている。
【００５２】
一方、この実施の形態では、上記複数組の電位治療ユニット６ａ〜６ｃを１つの電源１１，１２、１つのマイコン制御ユニット７で駆動制御するようにしており、同マイコン制御ユニット７には、上述のタッチパネル３、室温検出センサ１７、外気温検出センサ１８、湿度センサ１９、リレー回路２０、リレー出力回路３０、Ｄ／Ａ変換器出力端子ＤＡ1，ＤＡ2，ＤＡ3、Ａ／Ｄ変換器入力端子ＡＤ1，ＡＤ2，ＡＤ3、不揮発メモリ１６等が各々接続されている。
【００５３】
また、同マイコン制御ユニット７には、上記電源回路１２から＋１５Ｖ電源回路１３を介して入力される＋１５（Ｖ）を＋５（Ｖ）に降圧して使用する動作電源回路１４が接続されている。
【００５４】
そして、上記リレー入力回路２０の各入力端子１〜８および上記リレー出力回路３０の各出力端子ＲＬ1〜ＲＬ7は、例えば図２、図３中に同一符号で示されるように対応している。
【００５５】
また、上記Ａ／Ｄ変換器２８，２８，２８の入力端子ＡＤ1〜ＡＤ3も同様である。
【００５６】
（負電位印加電極５ａおよび対向電極５ｂ部分の電流値制御）
この実施の形態では、上述した第１〜第３の電位治療ユニット６ａ〜６ｃの３つの電極部共に各々所定の設定電流値に制御されるようになっている。
【００５７】
そのために、上記第１〜第３の電位治療ユニット６ａ〜６ｃには、例えば図２、図８に詳細に示すように、電流検出手段としての電流検出抵抗Ｒ、電流アンプ２７、Ａ／Ｄ変換器２８が各々設けられており、上記電極部５ａ，５ｂを介した高圧電源回路２３を流れる治療電流値ｉを検出する一方、同検出された治療電流値ｉに基いて上記高圧電源回路２３の電圧値Ｖを変える電圧制御手段として、Ｄ／Ａ変換器２６、Ｄ／Ａ出力アンプ２４が各々設けられており、同Ｄ／Ａ出力アンプ２４の出力をＤＣ１２Ｖラインのリレー接点ＲＬ1（ＲＬ2，ＲＬ3）を介して高圧電源回路２３に入力することによって高圧電源回路２３の出力電圧（−６ＫＶ）を適切に可変コントロールし、それによって、上記電流検出手段（Ｒ，２７，２８）により検出される治療電流値ｉが、予じめ図９のようにプログラム設定された所定の治療電流値ｉになるようにマイコン制御ユニット７でフィードバック制御される。
【００５８】
なお、この場合、上述のように治療電流ｉの値を制御するに際しては、第１の温度センサ（室温センサ）１７、第２の温度センサ（外気温センサ）１８による内外温度の検出データと湿度センサ１９による室内湿度の検出データを、Ａ／Ｄ変換器を介して、それぞれマイコン制御ユニット７内に入力し、それらを反映させた上で可及的に高精度な制御を行う。
【００５９】
（マイコン制御ユニット７による治療電流値ｉの具体的な制御・・・治療方法）
上記マイコン制御ユニット７による上記治療電流値ｉの制御（電極毎の印加タイミング、印加時間、印加電流値、使用電極）は、その治療目的に応じ、例えば図９のタイムチャートに示されるようにしてなされる。
【００６０】
このタイムチャートの構成（印加タイミング、印加時間、印加電流値、印加電極、印加部位）は、治療用途、治療目的に応じて種々異なるパターンのものとなるが、今この図９のパターンの場合は、例えば数々の臨床試験の結果から、一般的なガンの抑制を目的とした免疫性向上に有効な治療パターンとして設定されており、上述の第１〜第３の３組の電位治療ユニット６ａ〜６ｃの電極の全てを使用し、治療部位としては、例えば図１３のような左右の両手、図１０のような両足の何れか一方、図１１のような頭部ＭＨのこめかみ部分が選択されている。
【００６１】
今、上記の第１〜第３の電位治療ユニット６ａ〜６ｃの各々を使用し、この図９の治療パターンに基いた治療方法を説明すると、次のようになる。
【００６２】
（１）  例えば右手にはめた第１の電位治療ユニット６ａの負電位印加電極５ａと対向電極５ｂについては、治療スイッチＳＷを押しても、最初の３分間は全く負電位が印加されず、電極部５ａ・５ｂに治療電流ｉは流れない。しかし、同治療スイッチＳＷを押して３分後には、電極部５ａ・５ｂに急激に３μＡの大きな治療電流ｉが流れる。そして、それが例えば１７分間継続する。
【００６３】
すなわち、この治療方法では、治療スイッチＳＷを押してから２０分経過後に回路が切れることになる。このとき、上記右手にはめた対向電極５ｂには全く同じもうひとつの対向電極５ｂが設けられているので、同対向電極５ｂを右足の裏にもはめて治療する。
【００６４】
（２）  一方、他方の左手にはめた第２の電位治療ユニット６ｂの負電位印加電極５ａと対向電極５ｂについては、治療スイッチＳＷを押してから１０分間は全く負電位が印加されず、電極部５ａ・５ｂに治療電流ｉは流れない。しかし、同治療スイッチＳＷを押してから１０分後に急激に２．５μＡの治療電流ｉが流れ、それが８分間継続する。
【００６５】
すなわち、この第２の電位治療ユニット６ｂ側では治療スイッチＳＷを押してから１８分後に回路が切れる。このとき、該左手にはめた第２の電位治療ユニット６ｂの電極部５ａ・５ｂの対向電極５ｂにも全く同じもうひとつの対向電極５ｂが設けられているので、同対向電極５ｂを左足の裏にもはめて治療する。
【００６６】
（３）  さらに、第３の電位治療ユニット６ｃを使用し、上記（２）の場合と全く同様の負電位印加タイミング、印加電流値で、例えば図１１に示すように頭部ＭＨの左こめかみ部分に負電位印加電極５ａを当てるとともに右こめかみ部分に対向電極５ｂを当てて治療する。
【００６７】
このような治療方法を実施した結果、一例として血液中のｐＨが７．３４以下の酸性であったガン患者のｐＨ値が略健康な７．４のアルカリ性に改善された。
【００６８】
以上のように、この出願の発明では、高圧の負電位を発生する高圧電源回路と、該高圧電源回路からの負電位を生命体の所定部位に印加する負電位印加電極と、該負電位印加電極との間に生命体の所定の部位を挟んで対向し、負電位印加電極からの電荷を生命体の生体組織を介して上記高圧電源回路のアース側に誘引する対向電極とからなる電位治療ユニットを複数組備え、これら複数組の電位治療ユニットを１つのＡＣ電源、１つのマイコン制御ユニットで駆動制御するようにしてなる生命体の治癒力向上装置において、上記複数組の電位治療ユニットの各々の上記アースラインを相互にアイソレーションした独立のものとして構成している。
【００６９】
このように、治療対象部位を異にする複数組の電位治療ユニットの負電位印加電極および対向電極の各々のアースラインを相互に絶縁し、それぞれ独立させた状態で個別に電流を流すようにすると、前述のように一方の治療対象側の電極の電流が他方側別の治療対象側の被治療部および対向電極部に流れて、同部分の治療効果を阻害する問題が確実に改善される。
【００７０】
そして、上記複数組の電位治療ユニットには、それぞれ静電抹消器が設けられている。
【００７１】
上述のように複数組の電位治療ユニットの各負電位印加電極および対向電極を相互に絶縁して独立したものとすると、負電位発生回路を含む制御回路部に浮遊容量が増え、治療電流値の変動や雑音の発生、また回路機能上各種の阻害を起こしやすくなる。
【００７２】
そこで、これを吸収抹消することにより、それら障害の発生を防止するとともに対向電極側の電位をより確実にゼロ（Ｖ）に維持するようにする。
【００７３】
また、上記複数組の電位治療ユニットは、少なくとも３組設けられている。
【００７４】
このように、上記複数組の電位治療ユニットを少なくとも３組にすると、負電位印加電極および対向電極を、例えば右手甲部および手掌、左手甲部および手掌に加えて左こめかみ及び右こめかみ、又は右足甲部および足裏、左足甲部および足裏に加えて左こめかみ及び右こめかみ等の各々を治療部として、体全体から見た効果的な位置で効率良く血液のｐＨ改善効果をあげることができる。
【００７５】
また、上記複数組の電位治療ユニットの何れか所望の組の負電位印加電極および対向電極の内の対向電極は、２つの対向電極により構成されている。
【００７６】
このような構成によると、対向電極が２つある組の電位治療ユニットの電極部分では、例えば負電位印加電極と１つの対向電極とで被治療者の手指部を挟む一方、もう１つの対向電極を足の甲部又は足の裏部分に当接させて人体を流れる電流を拾うことができ、人体に流出する電流を有効に活用して１組の電極で２点治療を行うことが可能となる。
【００７７】
また、上記複数組の電位治療ユニット各々の負電位印加電極および対向電極部分を流れる電流値を検出し、同対向電極部分を流れる電流値を所定の設定電流値に制御する電流制御手段を設けている。
【００７８】
このような構成によると、被治療者の血液のｐＨ値に応じたｐＨ改善治療や治療部位、治療目的に応じた印加電圧、電流値、印加時間、印加タイミングの調節が可能となり、臨床的に最も効果的な治療電流、治療時間、治療タイミング、治療スパンの設定探求が可能となる。
【００７９】
これらの結果、本願発明によれば、電位治療器等生命体の治癒力向上装置の治癒力向上効果を有効に改善することができる。
【図面の簡単な説明】
【００８０】
【図１】本願発明の生命体の治癒力向上装置を電位治療器として構成した最良の実施の形態に係る電位治療器本体の全体構成を示す図である。
【図２】同電位治療器の制御回路全体の構成を示すブロック図である。
【図３】同電位治療器の各組の電位治療ユニット部分（負電位発生回路および電極部分）の構成を示すブロック図である。
【図４】同電位治療器の温湿度検出センサ部分の構成を示すブロック図である。
【図５】同電位治療器のイオン変換器部分の構成を示す図である。
【図６】同電位治療器のイオン変換器の機能を示す実験データの電圧波形図である。
【図７】同電位治療器の要部の構成と作用を示すブロック図である。
【図８】同電位治療器の要部である治療電流制御回路部分の構成を示す図である。
【図９】同電位治療器の治療パターンの一例を示すタイムチャートである。
【図１０】同電位治療器の要部である治療部位（負電位印加部位）が足である場合の電極設置状態を示す図である。
【図１１】同電位治療器の要部である治療部位（負電位印加部位）が頭部である場合の電極設置状態を示す図である。
【図１２】本願発明者が先に開発した電位治療器の全体的な構成を示す図である。
【図１３】同電位治療器の治療部位（負電位印加部位）が手である場合の電極設置状態を示す図である。
【図１４】同電位治療器の制御回路の構成とアース構造を示すブロック図である。
【図１５】同電位治療器の電極部の構成と作用を示す図である。
【符号の説明】
【００８１】
１は電位治療器、２は制御回路部、３はタッチパネル、４ａ，４ｂはコネクタ部、５ａは負電位印加電極、５ｂは対向電極、６ａ〜６ｃは第１〜第３の電位治療ユニット、７はマイコン制御ユニット、２２はイオン変換器、２３は高圧電源回路、２４はＤ／Ａ出力アンプ、２６はＤ／Ａ変換器、２７は電流アンプ、２８はＡ／Ｄ変換器である。
【図１】
2008183070.tif 000003
【図２】
2008183070.tif 000004
【図３】
2008183070.tif 000005
【図４】
2008183070.tif 000006
【図５】
2008183070.tif 000007
【図６】
2008183070.tif 000008
【図７】
2008183070.tif 000009
【図８】
2008183070.tif 000010
【図９】
2008183070.tif 000011
【図１０】
2008183070.tif 000012
【図１１】
2008183070.tif 000013
【図１２】
2008183070.tif 000014
【図１３】
2008183070.tif 000015
【図１４】
2008183070.tif 000016
【図１５】
2008183070.tif 000017